(57)【要約】【課題】各検査の進捗状況を容易に把握することができる。【解決手段】工程管理部２は、工程処理部３で行われる各工程の進捗状況を管理し、進捗状況や各工程の作業を行うことができる進捗状況管理画面をGUI表示部５に表示させる。工程管理部２は、GUI表示部５に表示されている進捗状況管理画面上で行われた操作内容を管理し、その操作内容に応じて進捗状況管理画面の表示を更新する。GUI表示部５は、工程管理部２の制御の下、各工程を処理するために操作者が操作するGUIを含む進捗状況管理画面を表示させる。例えば、GUI表示部５は、ひとつの検査をひとつのアイコンで表し、そのアイコンを工程の処理順に並べて画面に配置する。またGUI表示部５は、画面に配置したアイコン上に、待ち状況を視覚的に表示させる。【選択図】図２
2009276830.tif 000002
【特許請求の範囲】
【請求項１】
医療に関する所定の業務を定義する工程の進捗状況を管理する工程管理手段と、
前記工程管理手段により管理されている前記工程の進捗状況を表すアイコンを処理順に並べて表示するとともに、前記工程の進捗状況に問題が生じたとき、警告を表示する表示制御手段と
を備えることを特徴とする医用画像診断装置。
【請求項２】
前記表示制御手段は、前記アイコンが選択されたとき、選択されたアイコンに対応する工程に必要なGUIを表示する
ことを特徴とする請求項１に記載の医用画像診断装置。
【請求項３】
医療に関する所定の業務を定義する工程の進捗状況を管理する工程管理ステップと、
前記工程管理ステップにより管理されている前記工程の進捗状況を表すアイコンを処理順に並べて表示するとともに、前記工程の進捗状況に問題が生じたとき、警告を表示する表示制御ステップと
を医用画像診断装置が備えるコンピュータに実行させることを特徴とする制御プログラム。
【発明の詳細な説明】
【技術分野】
【０００１】
本発明は、医用画像診断装置およびその制御プログラムに関し、特に、医療に関する各工程の進捗状況を容易に把握することができる医用画像診断装置およびその制御プログラムに関する。
【背景技術】
【０００２】
医療業務を効率化させる技術として、医療業務に関する情報を統括的に管理するためのシステムがある。例えば、病院内の事務的な情報を統括的に管理する病院情報システム（Hospital Information System：HIS）、あるいは、放射線部門内における医療情報を統括的に管理する放射線部門情報システム（Radiology Information System：RIS）等がある。また、医療行為の効率化は、院内ＬＡＮ、医用ワークステーション等の導入により実現されている。
【０００３】
一般的に、医療施設内には、様々なメーカのシステムが導入されていることが多く、仮に同一メーカ製品で構成されていたとしても、装置毎の操作性が統一されていないことが多い。そのため、操作を熟知するのに時間がかかり、誤操作を行う危険性もある。
【０００４】
例えば、特許文献１には、医療業務の流れを、適切且つ容易に把握することができるようにするために、検査の進捗状況を把握するためのストリームリストを表示する技術が提案されている。
【特許文献１】特開２００２−２０７８２４号公報
【発明の開示】
【発明が解決しようとする課題】
【０００５】
ところで、所定期間が経過した検査は逐次的に処理されるのではなく、例えば、検査の途中で前回の検査を処理したり、あるいは、検査を行っている途中で緊急性の高い検査が割り込んだりすることがある。このような場合、複数の検査の工程が入り交じることになり、操作者は、各検査の進捗状況を把握することができなくなるという課題があった。
【０００６】
また特許文献１の技術では、工程の進捗状況に問題が生じてもそれを見逃してしまう課題があった。
【０００７】
本発明はこのような状況に鑑みてなされたものであり、その目的は、医療に関する各工程の進捗状況を容易に把握することができ、進捗状況に問題が生じた場合に警告を表示することができる医用画像診断装置およびその制御プログラムを提供することである。
【課題を解決するための手段】
【０００８】
請求項１記載の本発明の実施の形態に係る第１の特徴は、医療に関する所定の業務を定義する工程の進捗状況を管理する工程管理手段と、工程管理手段により管理されている工程の進捗状況を表すアイコンを処理順に並べて表示するとともに、工程の進捗状況に問題が生じたとき、警告を表示する表示制御手段とを備える。
【０００９】
請求項３記載の本発明の実施の形態に係る第２の特徴は、医療に関する所定の業務を定義する工程の進捗状況を管理する工程管理ステップと、工程管理ステップにより管理されている工程の進捗状況を表すアイコンを処理順に並べて表示するとともに、工程の進捗状況に問題が生じたとき、警告を表示する表示制御ステップとを医用画像診断装置が備えるコンピュータに実行させることである。
【発明の効果】
【００１０】
本発明によれば、医療に関する各工程の進捗状況を容易に把握することができ、進捗状況に問題が生じた場合に警告を表示することが可能となる。
【発明を実施するための最良の形態】
【００１１】
（第１の実施の形態）
以下、本発明における第１の実施の形態について図１乃至図９を参照して説明する。
【００１２】
図１は、本発明に係る医用画像診断装置１の構成例を示す図である。この医用画像診断装置１は、CPU(Central Processing Unit)１ａ、ROM（Read Only Memory）１ｂ、RAM（Random Access Memory）１ｃ、および入出力インターフェイス１ｄが、バス１ｅを介して接続されている。入出力インターフェイス１ｄには、記憶部１ｆ、通信部１ｇ、表示部１ｈ、入力部１ｉ、およびリムーバブルメディア１ｊが接続されている。
【００１３】
CPU１ａは、入力部１ｉからの入力信号に基づいて医用画像診断装置１を起動するためのブートプログラムをROM１ｂから読み出して実行し、記憶部１ｆに格納されている各種オペレーティングシステムを読み出す。またCPU１ａは、入力部１ｉからの入力信号に基づいて各種の制御を行ったり、ROM１ｂや記憶部１ｆに記憶されたプログラムおよびデータを読み出してRAM１ｃにロードしたり、あるいはRAM１ｃから読み出されたプログラムのコマンドに基づいて、データ演算または加工などの一連の処理を実行する。
【００１４】
記憶部１ｆは、半導体メモリや磁気ディスクなどで構成されており、CPU１ａで実行されるプログラムやデータを記憶する。記憶部１ｆには、CPU１ａが実行するプログラムとして、例えば、各工程の進捗状況を管理し、それらの工程をアイコンで視覚的に表示部１ｈに表示させるためのアプリケーションが用意される。以下、適宜、各工程の進捗状況を管理し、それらの工程をアイコンで視覚的に表示させるこのアプリケーションを進捗管理アプリケーションという。
【００１５】
通信部１ｇは、LAN（Local Area Network）カードやモデムなどで構成されており、医用画像診断装置１をローカルエリアネットワークやインターネットといった通信媒体に接続することを可能にする。すなわち通信部１ｇは、通信媒体から受信したデータを、入出力インターフェイス１ｄおよびバス１ｅを介してCPU１ａに送信し、CPU１ａからバス１ｅおよび入出力インターフェイス１ｄを介して受信したデータを、通信媒体に送信する。
【００１６】
表示部１ｈは、例えば液晶ディスプレイであり、CPU１ａからバス１ｅおよび入出力インターフェイス１ｄを介して受信した信号に基づいて、CPU１ａの処理結果などを表示する。
【００１７】
入力部１ｉは、医用画像診断装置１の操作者が各種の操作を入力するキーボードやマウスなどの入力デバイスにより構成されており、操作者の操作に基づいて入力信号を生成し、入出力インターフェイス１ｄおよびバス１ｅを介してCPU１ａに送信する。
【００１８】
リムーバブルメディア１ｊは、例えば光ディスクやフレキシブルディスクなどであり、図示せぬディスクドライブによって読み出されたデータが、入出力インターフェイス１ｄおよびバス１ｅを介してCPU１ａに送信され、CPU１ａからバス１ｅおよび入出力インターフェイス１ｄを介して受信したデータが、ディスクドライブによって書き込まれる。
【００１９】
図２は、医用画像診断装置１の機能構成例を示すブロック図である。図２に示す機能部のうちの少なくとも一部は、図１のCPU１ａにより進捗管理アプリケーションが実行されることによって実現される。
【００２０】
工程管理部２は、工程処理部３で行われる各工程の進捗状況を管理し、進捗状況や各工程の作業を行うことができる進捗状況管理画面をGUI（Graphical User Interface）表示部５に表示させる工程管理手段として機能する。ここで工程とは、医療に関する所定の業務を定義する少なくとも１つのプロセスを表している。工程には、例えば、検査予約、医用画像の生成、診断、アーカイブ、フィルミング、レポート、紹介、転送、および会計が含まれる。
【００２１】
工程管理部２は、GUI表示部５に表示されている進捗状況管理画面上で行われた操作内容を管理し、その操作内容に応じて進捗状況管理画面の表示を更新する。工程管理部２は、データベース４に記憶されている各種情報や画像などを管理する。
【００２２】
工程処理部３は、例えば、検査予約を行う工程、Ｘ線放射線画像、超音波画像、核医学画像、またはMRI（Magnetic Resonance Imaging）画像など検査の種類に合わせた医用画像を生成する工程、検査で得られた画像から病症の診断を行う工程、検査で得られた画像をアーカイブする工程、検査で得られた画像からフィルムを作成する工程、検査後のレポートを作成する工程、近年の地域医療連携の進展に鑑み検査結果を他の病院に紹介する工程、検査結果を他の装置やメディアに転送する工程、および会計を行う工程などで構成される。これらの工程は、医療機関毎に定義することができ、操作者によって予め登録される。また登録された工程は、任意に変更することが可能である。
【００２３】
データベース４には、工程処理部３による処理で得られた患者の年齢や病歴などの患者情報、検査内容や計測値などの検査情報、および検査画像などが記憶される。
【００２４】
GUI表示部５は、工程管理部２の制御の下、各工程を処理するために操作者が操作するGUIを含む進捗状況管理画面を表示部１ｈに表示させる表示制御手段として機能する。例えば、GUI表示部５は、ひとつの検査をひとつのアイコン（矩形や円形など）で表し、そのアイコンを工程の処理順に並べて表示部１ｈの画面に配置する。またGUI表示部５は、表示部１ｈの画面に配置したアイコン上に、処理待ちの状況を視覚的に表示させる。
【００２５】
図３は、進捗管理アプリケーションによって表示部１ｈに表示される進捗状況管理画面の例を示す図である。
【００２６】
図３に示す進捗状況管理画面において、上方には、工程状態表示エリア１１が配置されており、各検査を識別することができるアイコンが、工程の処理順に並べられている。
【００２７】
図３の例では、「検査予約」の工程で処理待ちとなっている検査を表すアイコン１２ａ、「検査」の工程で処理待ちとなっている検査を表すアイコン１２ｂ、「診断」の工程で処理待ちとなっている検査を表すアイコン１２ｃ、「アーカイブ」の工程で処理待ちとなっている検査を表すアイコン１２ｄ、「フィルミング」の工程で処理待ちとなっている検査を表すアイコン１２ｅ、「レポート」の工程で処理待ちとなっている検査を表すアイコン１２ｆ、「紹介」の工程で処理待ちとなっている検査を表すアイコン１２ｇ、「転送」の工程で処理待ちとなっている検査を表すアイコン１２ｈ、「会計」の工程で処理待ちとなっている検査を表すアイコン１２ｉが表示されている。
【００２８】
「検査予約」のアイコン１２ａ、「アーカイブ」のアイコン１２ｄ、「フィルミング」のアイコン１２ｅ、「会計」のアイコン１２ｉは、処理待ちの検査が発生しているためにアイコンが積み上げられたようなスタック表示となっている。図３の例の場合、「検査予約」のアイコン１２ａ、「アーカイブ」のアイコン１２ｄ、および「フィルミング」のアイコン１２ｅからは、それぞれ３件の処理待ちが発生していることが示されており、「会計」のアイコン１２ｉからは、「会計」の工程は４件の処理待ちが発生していることが示されている。このように、スタック表示は、処理待ちの検査数に応じて変化させることができる。
【００２９】
工程状態表示エリア１１の下方には、工程作業画面１３が配置されている。例えば、操作者により、アイコン１２ａ乃至１２ｉのうちのいずれかが選択されたとき、さらにアイコン１２ａ、１２ｄ、１２ｅ、１２ｉのいずれかが選択された場合には、複数の検査から所定の検査が選択されたとき、工程作業画面１３上に、選択された検査の工程に必要なGUIが表示される。
【００３０】
また工程作業画面１３には、工程作業画面１３上に表示されているGUIを中断するときに操作される「中断」ボタン１４、工程作業画面１３上に表示されているGUIを終了するときに操作される「終了」ボタン１５が表示されている。
【００３１】
このような図３に示す進捗状況管理画面を表示させることにより、操作者は、各工程の進捗状況を把握するとともに、どの工程で処理待ちが発生しているかを容易に確認することができる。また工程状態表示エリア１１に表示されているアイコン１２ａ乃至１２ｉを選択することにより、工程作業画面１３上に選択された検査の工程に必要なGUIを表示させることができるため、全体の工程管理をしつつ、スムーズに特定の工程作業を行うことができる。
【００３２】
次に、図４のフローチャートを参照して、進捗管理アプリケーションが実行する工程状態表示エリア１１の表示更新処理について説明する。この処理を開始するにあたり、表示部１ｈには、図３に示す進捗状況管理画面が表示されている。
【００３３】
ステップＳ１において、工程管理部２は、操作者により検査が選択されたか否か、すなわち、進捗状況管理画面の工程状態表示エリア１１に表示されているアイコン１２ａ乃至１２ｉの中から所定のアイコンが選択されたか否かを判定し、検査が選択されるまで待機する。
【００３４】
例えば、操作者により、工程状態表示エリア１１に表示されているアイコン１２ａ乃至１２ｉのうち、「フィルミング」の工程を表すアイコン１２ｅが選択されたとき、図５に示すようなリスト１６が表示される。リスト１６には、「フィルミング」の工程で処理待ちとなっている検査を表すアイコン１２ｅ−１乃至１２ｅ−３が表示される。このアイコンによるリスト表示は、あくまで一例であり、文字によるリスト表示などでもよい。
【００３５】
このように、スタック表示となっている（つまり、処理待ちが発生している）アイコンが選択されると、積み上げられていたアイコンが展開されてリスト表示に切り替わる。
【００３６】
ステップＳ１において所定の検査が選択されると、ステップＳ２に進み、GUI表示部５は、工程管理部２の制御の下、選択された検査の工程のGUIを工程作業画面１３上に表示させる。これにより、操作者は、工程作業画面１３上に表示されたGUIを用いて、工程に必要な情報を入力したり、工程に必要な作業を行ったりすることができる。
【００３７】
ステップＳ３において、工程管理部２は、工程作業画面１３上で必要情報が入力されたか否かを判定し、必要情報が入力されるまで待機する。そして必要情報が入力されたと判定した場合、ステップＳ４に進み、GUI表示部５は、工程管理部２の制御の下、工程状態表示エリア１２の表示を更新する。
【００３８】
例えば、図５に示す進捗状況管理画面において、操作者によりリスト１６に表示されているアイコン１２ｅ−１乃至１２ｅ−３の中から、アイコン１２ｅ−３が選択されたとき、そのアイコン１２ｅ−３に対応する「フィルミング」の工程のGUIが工程作業画面１３上に表示される。操作者は、工程作業画面１３上に表示されているGUIを用いて、必要な情報を入力したり、必要な作業を行ったりした後、「終了」ボタン１５を選択する。この一連の作業により、アイコン１２ｅ−３に該当する検査では、「フィルミング」の工程が終了し、次の工程である「レポート」の工程に移動する。これにより、図６に示すように、「レポート」のアイコン１２ｆがスタック表示に更新される。
【００３９】
そしてステップＳ４の処理の後、ステップＳ１に戻り、上述した処理が繰り返し実行される。
【００４０】
以上のように、各工程の進捗状況を視覚的に表示させるようにしたので、操作者は、各工程の進捗状況を容易に管理することができる。また、進捗状況管理画面上で所定の検査が選択されたとき、選択された検査の工程のGUIを表示させるようにしたので、操作者は、選択した検査の工程に必要な情報の入力や作業を行うことができる。従って、操作者は、全体の工程管理をしつつ、同時に特定の工程作業も行うことが可能となる。
【００４１】
次に、図７のフローチャートを参照して、工程が中断された場合の処理について説明する。この処理を開始するにあたり、表示部１ｈには、図３に示す進捗状況管理画面が表示されている。
【００４２】
ステップＳ１１において、工程管理部２は、操作者により検査が中断されたか否か、すなわち、進捗状況管理画面の工程作業画面１３上に表示されている「中断」ボタン１４が選択されたか否かを判定し、検査が中断されるまで待機する。そして検査が中断されたと判定した場合、ステップＳ１２に進み、GUI表示部５は、工程管理部２の制御の下、中断された検査のアイコンを、中断中を示す表示に変化させる。
【００４３】
例えば、「検査予約」の工程が行われている途中で「中断」ボタン１４が選択された場合、図６に示すように、「検査予約」の工程を表すアイコン１２ａが斜線の模様に変化される。この表示は、あくまで一例であり、色や形状を変更したり、あるいは、「中断」の文字を重ねて表示したりするようにしてもよい。
【００４４】
ステップＳ１３において、工程管理部２は、操作者により検査が再開されたか否かを判定し、検査が再開されるまで待機する。図示は省略するが、「中断」ボタン１４が選択されることよって、このボタンは「再開」ボタンに切り替わっており、操作者が再びボタン１４を選択することにより、検査を再開することができる。
【００４５】
ステップＳ１３において、検査が再開されたと判定された場合、ステップＳ１４に進み、GUI表示部５は、工程管理部２の制御の下、工程作業画面１３で中断されていた工程を再開することができるように表示を元に戻す。その後、処理はステップＳ１１に戻り、上述した処理が繰り返し実行される。
【００４６】
以上のように、緊急の検査が入った場合にも、簡単な操作で工程を中断することができる。そして、緊急の検査が終了し、中断していた工程を再開する場合にも、簡単な操作で中断した続きから工程を再開することができ、作業の効率化を図ることができる。
【００４７】
また工程管理部２は、図示せぬ外部の検査予約装置から緊急の検査が入ったことを検知した場合、または既に処理が行われている検査が緊急になったことを検知した場合、緊急の検査のアイコンを、緊急を示す表示に変化させる。例えば、アイコン１２ｂに対応する検査が緊急の検査になった場合、図６に示すように、「検査」の工程を表すアイコン１２ｂを縦線の模様に変化させる。この表示は、あくまで一例であり、色や形状を変更したり、あるいは、「緊急」の文字を重ねて表示したりするようにしてもよい。
【００４８】
さらに工程管理部２は、各工程に処理待ちの検査数の閾値を設けておき、処理待ちの検査数が閾値を超えたことを検知した場合、例えば、図８に示すようなメッセージボックス２１を表示させ、操作者に対して処理待ちの検査数が閾値を超えた旨を通知することができる。図８の例では、メッセージボックス２１に「閾値（５０）を超えました。対処してください。」という内容のメッセージ、およびメッセージ内容が確認されたときに選択されるボタン２１ａが表示されている。
【００４９】
以上のように、工程管理部２は、処理待ちの検査数が閾値を超えるなどの工程の進捗状況に問題が生じたとき、警告メッセージを画面上に表示させるようにしたが、これだけでなく、例えば、予め設定された送信先に、処理待ちの検査数が閾値を超えた旨を電子メールなどで通知するようにしてもよい。
【００５０】
これにより、操作者は、医用画像診断装置１の表示部１ｈに表示されている進捗状況管理画面上で進捗状況を管理していなくても、例えば、携帯電話機が受信した電子メールを確認し、処理待ちの検査数が閾値を超えたことを容易に知ることができる。そして操作者は、処理待ちが発生している検査をスムーズに処理することができるようにするために、人員の配置換えや増員などを指示することが可能となる。
【００５１】
また工程管理部２は、各工程での検査時間を記録しておき、検査の平均処理時間を算出して提示するようにしてもよい。例えば、工程管理部２は、図９に示すようなダイアログ２２を表示させ、操作者に対して平均処理時間、処理待ち検査数、および総待ち時間を通知することができる。図９の例では、ダイアログ２２に「平均処理時間10:00（分）、待ち検査数１２、待ち時間１２０（分）」が表示されている。これにより、操作者は、処理待ちの検査数だけでなく、処理待ち時間をも容易に知ることができる。
【００５２】
以上のような構成を採用することによって、医療に関する各工程の進捗状況を容易に把握することができ、進捗状況に問題が生じた場合に警告を表示することが可能となる。
【００５３】
（第２の実施の形態）
次に本発明における第２の実施の形態について図１０を参照して説明する。なお、第２の実施の形態において、上述の第１の実施の形態において説明した構成要素と同一の構成要素には同一の符号を付してあり、重複する説明は省略する。
【００５４】
図１０に示す第２の実施の形態の工程管理システムにおいては、工程管理装置３０、工程処理端末４０Ａ、および工程処理端末４０Ｂから構成され、これらは、有線または無線のネットワークを介して、あるいは、専用線を介してデータ通信可能に接続される。
【００５５】
工程管理装置３０は、第１の実施の形態の医用画像診断装置１の工程管理部２およびデータベース４を有しており、新たにネットワークを介して他の装置と通信するための通信部３１が設けられている。
【００５６】
工程処理端末４０Ａは、第１の実施の形態の医用画像診断装置１の工程処理部３（図中、工程処理部３Ａと示す）およびGUI表示部５（図中、GUI表示部５Ａと示す）を有しており、新たにネットワークを介して他の装置と通信するための通信部４１Ａが設けられている。同様に、工程処理端末４０Ｂも、工程処理部３（図中、工程処理部３Ｂと示す）、GUI表示部５（図中、GUI表示部５Ｂと示す）、および通信部４１Ｂが設けられている。
【００５７】
以下において、工程処理端末４０Ａ，４０Ｂを個々に区別する必要が無い場合、単に工程処理端末４０と称する。同様に、工程処理部３Ａ，３Ｂ、GUI表示部５Ａ，５Ｂ、通信部４１Ａ，４１Ｂを個々に区別する必要がない場合、単に工程処理部３、GUI表示部５、通信部４１と称する。
【００５８】
工程管理装置３０の工程管理部２は、通信部３１を介して工程処理端末４０と通信し、工程処理端末４０で行われる各工程の進捗状況を管理し、図３に示した進捗状況管理画面を、ネットワークを介して工程処理端末４０のGUI表示部５に表示させる。また工程管理部２は、工程処理端末４０のGUI表示部５に表示されている進捗状況管理画面上で行われた操作内容を、ネットワークを介して管理し、その操作内容に応じて進捗状況管理画面の表示を更新する。
【００５９】
工程処理端末４０のGUI表示部５は、工程管理装置１０の制御の下、図３に示した進捗状況管理画面を表示部に表示させる。
【００６０】
以上のように、工程管理装置３０に各工程の進捗状況を管理させ、工程処理端末４０に進捗状況管理画面を表示させることによっても、第１の実施の形態と同様の効果を得ることができる。すなわち、操作者は、各工程の進捗状況を把握するとともに、どの工程で処理待ちが発生しているかを容易に確認することができる。また、工程作業画面１３上に検査に必要なGUIを表示させることができるため、スムーズに作業を行うことができる。
【００６１】
さらに、工程管理装置３０が工程処理端末４０の各工程の進捗状況を管理することができるため、例えば、工程処理端末４０Ａの工程処理部３Ａに「検査予約」を行う工程を実施させ、工程処理端末４０Ｂの工程処理部３Ｂに「検査」を行う工程を実施させるといったように、医療施設内で各工程を分散させることも可能である。
【００６２】
（第３の実施の形態）
次に本発明における第３の実施の形態について図１１および図１２を参照して説明する。なお、第３の実施の形態において、上述の第２の実施の形態において説明した構成要素と同一の構成要素には同一の符号を付してあり、重複する説明は省略する。
【００６３】
図１１に示す第３の実施の形態の地域医療工程管理システムにおいては、第２の実施の形態の医療施設内における工程管理システムが地域医療ネットワークに展開されている。
【００６４】
図１１に示すように、地域医療工程管理システムは、工程管理装置３０Ａと工程処理端末４０Ａ，４０Ｂを有する医療施設Ａ、工程管理装置３０Ｂと工程処理端末４０Ｃ，４０Ｄを有する医療施設Ｂ、工程管理装置３０Ｃと工程処理端末４０Ｅ，４０Ｆを有する医療施設Ｃから構成されている。また医療施設Ａの工程管理装置３０Ａ、医療施設Ｂの工程管理装置３０Ｂ、および医療施設Ｃの工程管理装置３０Ｃは、公衆回線網などの地域医療ネットワーク５０を介してデータ通信可能に接続される。
【００６５】
工程管理装置３０Ａは、工程処理端末４０Ａ，４０Ｂで行われる各工程の進捗状況を管理するとともに、地域医療ネットワーク５０を介して他の医療施設の工程管理装置３０Ｂ，３０Ｃと通信し、各医療施設の工程処理端末４０Ｃ乃至４０Ｆで行われる各工程の進捗状況を管理する。
【００６６】
また工程管理装置３０Ａは、進捗状況に応じて、図１２に示すような進捗状況管理画面を工程処理端末４０Ａ，４０Ｂに表示させるとともに、他の医療施設の工程管理装置３０Ｂ，３０Ｃと通信し、各医療施設の工程処理端末４０Ｃ乃至４０Ｆにも図１２に示すような進捗状況管理画面を表示させる。
【００６７】
図１２の例では、進捗状況管理画面に、医療施設Ａで行われている各工程の進捗状況が視覚的に表示される工程状態表示エリア１１Ａ、医療施設Ｂで行われている各工程の進捗状況が視覚的に表示される工程状態表示エリア１１Ｂ、および医療施設Ｃで行われている各工程の進捗状況が視覚的に表示される工程状態表示エリア１１Ｃが配置されている。この表示により、操作者は、各医療施設の各工程の進捗状況を把握するとともに、どの工程で処理待ちが発生しているかを容易に確認することができる。
【００６８】
さらに工程管理装置３０Ａは、工程処理端末４０Ａ，４０Ｂに表示されている進捗状況管理画面上で行われた操作内容を管理するとともに、他の医療施設の工程管理装置３０Ｂ，３０Ｃと通信し、各医療施設の工程処理端末４０Ｃ乃至４０Ｆに表示されている進捗状況管理画面上で行われた操作内容を管理し、それらの操作内容に応じて進捗状況管理画面の表示を更新する。
【００６９】
以上のように、地域医療ネットワークに適用した場合にも、第１の実施の形態と同様の効果を得ることができる。すなわち、操作者は、各医療施設の各工程の進捗状況を把握するとともに、どの工程で処理待ちが発生しているかを容易に確認することができる。また処理待ちの工程が多い医療施設があった場合、他の医療施設が協力して処理待ちが多い工程を処理することにより、混雑状況の緩和を図ることができる。
【００７０】
以上においては、医療施設Ａの工程管理装置３０Ａを地域医療ネットワーク内におけるメインの管理装置として機能させるようにしたが、医療施設Ｂの工程管理装置３０Ｂと医療施設Ｃの工程管理装置３０Ｃと連携して各工程を管理するようにしてもよい。
【００７１】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【図面の簡単な説明】
【００７２】
【図１】本発明に係る医用画像診断装置の構成例を示す図である。
【図２】医用画像診断装置の機能構成例を示すブロック図である。
【図３】進捗状況管理画面の表示例を示す図である。
【図４】表示更新処理を説明するフローチャートである。
【図５】進捗状況管理画面の他の表示例を示す図である。
【図６】進捗状況管理画面の他の表示例を示す図である。
【図７】工程が中断された場合の処理を説明するフローチャートである。
【図８】進捗状況管理画面に表示されるメッセージボックスの表示例を示す図である。
【図９】進捗状況管理画面に表示されるダイアログの表示例を示す図である。
【図１０】第２の実施の形態における工程管理システムの構成例を示す図である。
【図１１】第３の実施の形態における地域医療工程管理システムの構成例を示す図である。
【図１２】進捗状況管理画面の表示例を示す図である。
【符号の説明】
【００７３】
１  医用画像診断装置
２  工程管理
３  工程処理部
４  データベース
５  GUI表示部
【図１】
2009276830.tif 000003
【図２】
2009276830.tif 000004
【図３】
2009276830.tif 000005
【図４】
2009276830.tif 000006
【図５】
2009276830.tif 000007
【図６】
2009276830.tif 000008
【図７】
2009276830.tif 000009
【図８】
2009276830.tif 000010
【図９】
2009276830.tif 000011
【図１０】
2009276830.tif 000012
【図１１】
2009276830.tif 000013
【図１２】
2009276830.tif 000014